(57)【特許請求の範囲】
【請求項１】
建物が前方に向って下方に傾斜した屋根と、この屋根の左右方向の一側部から上方に向って延びる壁とを備え、上記壁が壁本体と、この壁本体の外面を覆うように設けられた外壁材とで構成され、上記屋根の一側部に沿ってその傾斜方向に延びる板金製の雨押え板が設けられ、この雨押え板がその正面断面で横向き片と、この横向き片の一端から上方に向って延びる縦向き片とを有し、上記横向き片が上記屋根の一側部の表面に載置され、上記縦向き片が上記壁本体と外壁材の下縁部との間に挿入された場合において、上記屋根の表面に瓦を敷設する既存屋根への新瓦敷設工法であって、
上記瓦は板金製とされ、かつ、上記屋根の傾斜方向におけるその上部に同上屋根の外方に向って膨出する膨出部を有すると共に、同上傾斜方向におけるその下縁に上記屋根に向って折り曲げられた折り曲げ部を有し、上記傾斜方向に沿って複数の瓦を敷設するとき、これら瓦のうち、下側の瓦の膨出部に、上側の瓦の折り曲げ部が外嵌するようにし、上記屋根の一側部に沿って敷設される各瓦の上記壁側の端縁部における上記膨出部を偏平形状に加圧変形させると共に上記折り曲げ部を切断除去し、同上各瓦の端縁部を上記屋根の一側部と、上記雨押え板の横向き片との間の隙間に差し込ませた既存屋根への新瓦敷設工法。
【請求項２】
上記各瓦の上記端縁部を、同上各瓦の一般部からみて上記屋根に向けて折り曲げた請求項１に記載の既存屋根への新瓦敷設工法。
【請求項３】
上記各瓦の上記端縁部の表面にシール材を取り付けた請求項１、もしくは２に記載の既存屋根への新瓦敷設工法。
【発明の詳細な説明】
【０００１】
【発明の属する技術分野】
本発明は、既存の屋根に新しい瓦を敷設する工法であって、より具体的には、既存の屋根をその既存の状態のままで、これに新しい瓦を敷設する工法に関するものである。
【０００２】
【従来の技術】
建物には、従来、図５、６で示されるものがある。
【０００３】
これにつき説明すると、図中符号１は建物で、説明の便宜上、図中矢印で示した水平方向を前方とし、下記する左右とは上記前方に向っての方向をいうものとする。
【０００４】
上記建物１は、前方に向ってある傾角θで下方に傾斜した屋根２と、この屋根２の左右方向の一側部から上方に向って延びる壁３とを備えている。
【０００５】
上記屋根２は野地板である屋根基体５と、この屋根基体５の表面に複数敷設されたアスベスト製の既設瓦６とで構成されている。一方、上記壁３は柱等の壁本体７と、この壁本体７の上記屋根２側の外面を覆うように設けられた外壁材８とで構成されている。
【０００６】
図５、６の実線図示において、上記屋根２の一側部と、上記外壁材８の下縁部との間の空間１０内に位置して、上記屋根２の一側部に沿ってその傾斜方向Ａに延びる笠木１１が設けられ、また、同上屋根２の一側部に沿って同上傾斜方向Ａに延びる板金製の雨押え板１２が設けられている。
【０００７】
上記雨押え板１２は、その正面断面（図６）で、ほぼ水平方向に延びる横向き片１３と、この横向き片１３の壁３側の端縁から上方に向って一体的に延びる縦向き片１４とを有している。上記横向き片１３は上記屋根２の一側部の表面である上記既設瓦６の表面に上記笠木１１を介して載置されている。また、上記縦向き片１４は、上記壁本体７と外壁材８の下縁部８ａとの間に挿入されている。
【０００８】
そして、降雨時に、屋根２の表面上に降り注いだ雨水は、上記各既設瓦６の表面や雨押え板１２の横向き片１３に案内されて軒側に流れ、ここから建物１の前下方に排水される。
【０００９】
図６により、上記した既存の屋根２に対して新しい瓦１６を敷設することにより、外観上、屋根２を新しくさせる新瓦敷設工法につき説明する。
【００１０】
この工法では、まず、図６中二点鎖線で示すように、上記外壁材８の下縁部８ａを接断除去し、次に、雨押え板１２を取り外す。
【００１１】
次に、上記屋根２の既設瓦６の表面に複数の板金製の瓦１６を敷設し、次に、図中二点鎖線で示すように、上記雨押え板１２とほぼ同構成の新しい雨押え板１２′を、同上雨押え板１２と入れ換えに取り付ける。すると、上記工法が完了する。
【００１２】
即ち、上記工法によれば、既設瓦６を撤去しないままで新しい瓦１６を敷設して屋根２が新しくされることから、その作業が容易にできるという利点がある。
【００１３】
【発明が解決しようとする課題】
ところで、上記従来の技術における新瓦敷設工法によれば、外壁材８の下縁部８ａを切断除去する作業が必要であると共に、既存の雨押え板１２を新しい雨押え板１２′と交換する必要があり、よって、上記工法では煩雑な作業が残存していると共に、新しい部品である雨押え板１２′が必要となる分、工事が高価になるという問題がある。
【００１４】
本発明は、上記のような事情に注目してなされたもので、作業が容易で、安価にできる既存屋根への新瓦敷設工法の提供を課題とする。
【００１５】
また、上記工法を採用した場合に、屋根の一側部と、外壁材の下縁部との間の水切りが、より確実になされるようにすることを課題とする。
【００１６】
【課題を解決するための手段】
上記課題を達成するための本発明の既存屋根への新瓦敷設工法は、次の如くである。
【００１７】
請求項１の発明は、建物１が前方に向って下方に傾斜した屋根２と、この屋根２の左右方向の一側部から上方に向って延びる壁３とを備え、上記壁３が壁本体７と、この壁本体７の外面を覆うように設けられた外壁材８とで構成され、上記屋根２の一側部に沿ってその傾斜方向Ａに延びる板金製の雨押え板１２が設けられ、この雨押え板１２がその正面断面で横向き片１３と、この横向き片１３の一端から上方に向って延びる縦向き片１４とを有し、上記横向き片１３が上記屋根２の一側部の表面に載置され、上記縦向き片１４が上記壁本体７と外壁材８の下縁部８ａとの間に挿入された場合において、上記屋根２の表面に瓦１６を敷設する工法であって、上記瓦１６は板金製とされ、かつ、上記屋根２の傾斜方向Ａにおけるその上部に同上屋根２の外方に向って膨出する膨出部１７を有すると共に、同上傾斜方向Ａにおけるその下縁に上記屋根２に向って折り曲げられた折り曲げ部１８を有し、上記傾斜方向Ａに沿って複数の瓦１６を敷設するとき、これら瓦１６のうち、下側の瓦１６の膨出部１７に、上側の瓦１６の折り曲げ部１８が外嵌するようにし、上記屋根２の一側部に沿って敷設される各瓦１６の上記壁３側の端縁部１９における上記膨出部１７を偏平形状に加圧変形させると共に上記折り曲げ部１８を切断除去し、同上各瓦１６の端縁部１９を上記屋根２の一側部と、上記雨押え板１２の横向き片１３との間の隙間２４に差し込ませたものである。
【００１８】
請求項２の発明は、請求項１の発明に加えて、上記各瓦１６の上記端縁部１９を、同上各瓦１６の一般部２１からみて上記屋根２に向けて折り曲げたものである。
【００１９】
請求項３の発明は、請求項１、もしくは２の発明に加えて、上記各瓦１６の上記端縁部１９の表面にシール材２３を取り付けたものである。
【００２０】
【発明の実施の形態】
以下、本発明の実施の形態を図面により説明する。
【００２１】
図１〜４は、本発明の実施の形態を示している。
【００２２】
図１、２において、符号１は建物であり、この建物１は、前記図５、６により従来の技術として、既に説明したものと構成が多くの点で共通しているため、図面にその共通の符号を付して、その説明を省略する。
【００２３】
新瓦敷設工法によって、上記既存の屋根２の表面である既設瓦６の表面に敷設される各瓦１６は、次の構成を有している。
【００２４】
図３において、上記各瓦１６は板金製とされて平面視で矩形をなし、互いに同形同大とされている。上記各瓦１６は、屋根２の傾斜方向Ａにおけるその上部に同上屋根２の外方に向って膨出する膨出部１７を有すると共に、同上傾斜方向Ａにおけるその下縁には上記屋根２に向って折り曲げられた折り曲げ部１８を有している。上記膨出部１７と折り曲げ部１８とは上記瓦１６の左右方向の幅方向のほぼ全体にわたり形成されている。
【００２５】
図１、２において、上記各瓦１６を上記傾斜方向Ａに沿って敷設するとき、これら瓦１６のうち、下側の瓦１６の膨出部１７に、この瓦１６に隣り合う上側の瓦１６の折り曲げ部１８がその外方から外嵌することとされている。これにより、傾斜方向Ａにおける各瓦１６，１６間に隙間の生じることが防止され、上記瓦１６上に降り注いだ雨水は、順次、それより下側の瓦１６の表面に流れて、軒側に排水される。
【００２６】
図１〜４において、上記各瓦１６のうち、上記屋根２の一側部に沿って敷設される各瓦１６は、次のように加工される。
【００２７】
即ち、図３で示すように、上記瓦１６の上記壁３側の端縁部１９における上記膨出部１７に対し、ハンマー等による加圧力Ｂを与える。そして、上記膨出部１７を図４で示すように、偏平形状に加圧変形させる（図４中符号１７′で示した部分）。
【００２８】
また、同上図３中一点鎖線で示す切断部Ｃで、上記瓦１６の端縁部１９における折り曲げ部１８を金ばさみ等により切断除去し、図４で示すように、端縁部１９をほぼその板厚だけの厚さとする。
【００２９】
上記瓦１６の上記端縁部１９を、同上瓦１６の非加工部である一般部２１からみて、屋根２に向けて折り曲げる。この場合、上記端縁部１９の自由端側の端縁２２を、上記瓦１６の一般部２１の下面を仮想延長した延長面とほぼ同じところに位置させる。
【００３０】
また、上記瓦１６の端縁部１９の端縁２２の上面に、シール材２３を貼設などにより取り付ける。
【００３１】
図１、２において、上記のように加工した瓦１６の端縁部１９を上記屋根２の一側部と、上記雨押え板１２の縦向き片１４との間の隙間２４に差し込ませる（各図中矢印Ｄ）。
【００３２】
上記した新瓦敷設工法によれば、上記各瓦１６の上記壁３側の端縁部１９では、膨出部１７が偏平形状にされると共に、折り曲げ部１８が切断除去されるため、上記瓦１６の端縁部１９は全体として薄い形状となる。
【００３３】
よって、上記瓦１６の端縁部１９を屋根２の一側部と、上記横向き片１３との間の隙間２４に差し込ませるとき（図１、２中矢印Ｄ）、この隙間２４をわずかに押し広げるか、もしくは既存の状態のままでも、上記差し込みができ、これにより、上記屋根２の一側部に沿って新しい瓦１６が敷設される。つまり、従来のように、外壁材８の下縁部８ａを切断除去したり、既存の雨押え板１２を新しいものに交換する必要はない。
【００３４】
また、前記したように、各瓦１６の上記端縁部１９を、同上各瓦１６の一般部２１からみて屋根２に向けて折り曲げてある。
【００３５】
このため、屋根２に直交する方向でみて、瓦１６の下面の仮想延長面からこの瓦１６の端縁部１９の自由端側の端縁２２の上面に至る寸法は極めて小さくなり、つまり、上記端縁部１９の端縁２２の厚さが薄くなることから、隙間２４が狭くても、上記瓦１６の端縁部１９をその端縁２２側から上記隙間２４に容易に差し込ませることができ、この隙間２４は、より狭くて足りる。
【００３６】
よって、上記瓦１６の端縁部１９を上記隙間２４に差し込ませるとき、この隙間２４を押し広げる作業は、より不要となる。
【００３７】
また、前記したように、上記各瓦１６の上記端縁部１９の表面にシール材２３を取り付けてある。
【００３８】
このため、瓦１６の端縁部１９を隙間２４に差し込ませたとき、上記シール材２３が雨押え板１２の横向き片１３側である笠木１１の下面に圧接させられることとなり、上記隙間２４がより確実にシールされる。
【００３９】
しかも、上記したように、端縁部１９の端縁２２の厚さは薄いため、上記したようにシール材２３を取り付けても、上記隙間２４への差し込みは容易にできる。
【００４０】
【発明の効果】
本発明による効果は、次の如くである。
【００４１】
請求項１の発明は、建物が前方に向って下方に傾斜した屋根と、この屋根の左右方向の一側部から上方に向って延びる壁とを備え、上記壁が壁本体と、この壁本体の外面を覆うように設けられた外壁材とで構成され、上記屋根の一側部に沿ってその傾斜方向に延びる板金製の雨押え板が設けられ、この雨押え板がその正面断面で横向き片と、この横向き片の一端から上方に向って延びる縦向き片とを有し、上記横向き片が上記屋根の一側部の表面に載置され、上記縦向き片が上記壁本体と外壁材の下縁部との間に挿入された場合において、上記屋根の表面に瓦を敷設する既存屋根への新瓦敷設工法であって、上記瓦は板金製とされ、かつ、上記屋根の傾斜方向におけるその上部に同上屋根の外方に向って膨出する膨出部を有すると共に、同上傾斜方向におけるその下縁に上記屋根に向って折り曲げられた折り曲げ部を有し、上記傾斜方向に沿って複数の瓦を敷設するとき、これら瓦のうち、下側の瓦の膨出部に、上側の瓦の折り曲げ部が外嵌するようにし、上記屋根の一側部に沿って敷設される各瓦の上記壁側の端縁部における上記膨出部を偏平形状に加圧変形させると共に上記折り曲げ部を切断除去し、同上各瓦の端縁部を上記屋根の一側部と、上記雨押え板の横向き片との間の隙間に差し込ませてある。
【００４２】
即ち、各瓦の上記壁側の端縁部では、膨出部が偏平形状にされると共に、折り曲げ部が切断除去されるため、上記瓦の端縁部は全体として薄い形状となる。
【００４３】
よって、上記瓦の端縁部を屋根の一側部と、上記雨押え板の横向き片との間の隙間に差し込ませるとき、この隙間をわずかに押し広げるか、もしくは既存の状態のままでも、上記差し込みができ、これにより、屋根の一側部に沿って新しい瓦が敷設される。つまり、従来のように、外壁材の下縁部を切断除去したり、既存の雨押え板を新しいものに交換する必要がないことから、この工法による作業は容易で、安価にできることとなる。
【００４４】
請求項２の発明は、上記各瓦の上記端縁部を、同上各瓦の一般部からみて上記屋根に向けて折り曲げてある。
【００４５】
このため、屋根に直交する方向でみて、瓦の下面の仮想延長面からこの瓦の端縁部の自由端側の端縁の上面に至る寸法は極めて小さくなり、つまり、上記端縁部の端縁の厚さが薄くなることから、隙間が狭くても、上記瓦の端縁部をその端縁側から上記隙間に容易に差し込ませることができ、この隙間は、より狭くて足りる。
【００４６】
よって、上記瓦の端縁部を上記隙間に差し込ませるとき、この隙間を押し広げる作業は、より不要となり、この結果、この工法による作業は更に容易となる。
【００４７】
請求項３の発明は、上記各瓦の上記端縁部の表面にシール材を取り付けてある。
【００４８】
このため、瓦の端縁部を隙間に差し込ませたとき、上記シール材が雨押え板の横向き片側に圧接させられることとなり、上記隙間がより確実にシールされる。
【００４９】
よって、作業がし易く、安価な工法でありながら、上記屋根の一側部と、外壁材の下縁部との間の水切りが、より確実になされることとなる。
【００５０】
しかも、上記したように、端縁部の端縁の厚さは薄いため、上記したようにシール材を取り付けても、上記隙間への差し込みは容易にできる。
【図面の簡単な説明】
【図１】建物の部分斜視図である。
【図２】図１で示したものの正面図である。
【図３】加工前の瓦の斜視図である。
【図４】瓦の端縁部における膨出部を偏平形状にすると共に、折り曲げ部を切断除去した加工後の瓦の斜視図である。
【図５】従来の技術で、図１に相当する図である。
【図６】従来の技術で、図２に相当する図である。
【符号の説明】
１    建物
２    屋根
３    壁
５    屋根基体
６    既設瓦
７    壁本体
８    外壁材
８ａ  下縁部
１０  空間
１２  雨押え板
１３  横向き片
１４  縦向き片
１６  瓦
１７  膨出部
１８  折り曲げ部
１９  端縁部
２１  一般部
２２  端縁
２３  シール材
２４  隙間
Ａ    傾斜方向
Ｂ    加圧力
【図１】
0003623597.tif 000002
【図２】
0003623597.tif 000003
【図３】
0003623597.tif 000004
【図４】
0003623597.tif 000005
【図５】
0003623597.tif 000006
【図６】
0003623597.tif 000007